(57)【特許請求の範囲】
【請求項１】
長手方向に連続的に撚られた複数の金属製の芯線の間に、当該芯線の撚りに沿って螺旋状に並ぶブラシ毛の複数の列を有するブラシの製造方法であって、
コイル状に成形された弾性線材からなる毛材と、この毛材の輪の中に通された金属製の芯線とからなる複数の毛材・芯線組み合わせ体を形成する工程と、
前記組み合わせ体と同数の金属製の他の芯線を用意する工程と、
前記組み合わせ体の芯線と前記他の芯線とを接近させて、撚りの回転方向に交互に配置することにより、異なる組み合わせ体の毛材同士を他の芯線により隔離した芯線集合体を形成する工程と、
前記芯線集合体を軸線方向に連続的に撚る工程と、を含み、
それにより、螺旋状に並ぶループ状のブラシ毛の複数の列を有するブラシを形成することを特徴とするブラシの製造方法。
【請求項２】
請求項１に記載の全ての工程の後に、形成された前記毛材のループを切断する追加的工程を含み、
それにより、芯線に対してほぼ直交方向に湾曲して放射状に延出するブラシ毛の列を有するブラシを形成することを特徴とするブラシの製造方法。
【請求項３】
２本の前記組み合わせ体と２本の前記他の芯線とを撚りの回転方向に交互に配置して前記芯線集合体を形成することを特徴とする請求項１又は２に記載のブラシの製造方法。
【請求項４】
３本の前記組み合わせ体と３本の前記他の芯線とを撚りの回転方向に交互に配置して前記芯線集合体を形成することを特徴とする請求項１又は２に記載のブラシの製造方法。
【請求項５】
請求項１ないし４に記載のいずれかの方法により製造されたブラシ。
【請求項６】
長手方向に連続的に撚られた複数の金属製の芯線の間に、当該芯線の撚りに沿って螺旋状に並ぶブラシ毛の列を有し、
前記ブラシ毛が、湾曲し、前記芯線に対してほぼ直交方向に放射状に延出するブラシであって、
前記複数の金属製の芯線が、請求項１に記載の毛材・芯線組み合わせ体における金属製の芯線と、当該芯線と同数の他の金属製の芯線とからなることを特徴とするブラシ。
【発明の詳細な説明】
【技術分野】
【０００１】
本発明は、長手方向に連続的に撚られた複数の金属製の芯線の間に、当該芯線の撚りに沿って螺旋状に並ぶブラシ毛の列を有するブラシの製造方法と、この方法により製造されたブラシに関する。
【背景技術】
【０００２】
従来、撚られた金属製の芯線の間に、その撚りに沿って螺旋状に並んで保持されたブラシ毛を有するブラシが、工業用、医療用、民生用等、種々の目的に使用されている。この形式のブラシは、用途に応じて１mm以下から１００mm以上まで、大きさは様々であるが、いずれも同様の方法で製造される。
特許文献１には、ブラシ毛が二重の螺旋状に配列された、磁気ディスク用基板の内周端面を研磨するブラシの製造方法が開示（図２Ｂ参照）されている。この研磨ブラシは、４本の芯線における異なる２箇所の芯線間に毛材を挟み込み、これら芯線を互いに捻ることによって構成される。このブラシは、毛材の列のなす螺旋が二重螺旋となり、「ダブルスパイラルブラシ」と称される。
一方、特許文献２には、２つの円筒状コイルの中にそれぞれ芯線を通し、その芯線にねじりを加えたねじりブラシが記載されている。また特許文献３には、２ないし４本の螺旋状に巻かれたブラシ毛となる繊維に、それぞれ軸部材を挿入し、両軸部材を捻り合わせてブラシ軸とし、ブラシ軸の周りに、繊維の多数のループを螺旋状に配列し、隣接するループの列間に螺旋状の溝を形成するマスカラブラシの製造方法が開示（図１４参照）されている。
【先行技術文献】
【特許文献】
【０００３】
【特許文献１】特開２００６−１５４５０号公報
【特許文献２】実用新案登録第３００９３２４号公報
【特許文献３】特開２００６−２６２９８４号公報
【発明の概要】
【発明が解決しようとする課題】
【０００４】
特許文献１に記載されたブラシの製造方法においては、芯線の撚りにしたがって、毛材が中央部でほぼＶ字状に折れ曲がる必要がある。ところが、用途に応じて、より剛性のある毛材が採用されるとき、芯線に撚りをかけるだけでは毛材が折れ曲がらないことがあり、この場合には芯線の撚りが不均一に膨らんで、ブラシ毛の列を整然と螺旋状に並べることができない。そこで、ブラシ毛の中央に位置する２本の芯線に強い力をかけることにより、ブラシ毛を折り曲げて芯線間を密着させつつ、芯線に撚りをかけるという作業が必要になる。この作業は、熟練を要し、効率の悪い作業であるという問題点がある。
特許文献２、３に記載されたブラシの製造方法では、芯線を撚るときに、螺旋状のブラシ毛の繊維同士が直接接触することになるため、隣接する輪の間に互いに他方の輪が不規則に入り込んで螺旋の配列が不規則になる。ブラシ毛の繊維の太さが異なる場合や、螺旋が密着していない場合にこの現象が著しい。材質の異なるブラシ毛の繊維を用いる場合には、均一な配列が得られない。
したがって、本発明は、ループ状のブラシ毛あるいは放射状に延びる湾曲したブラシ毛が、芯線の周りに複数の螺旋列を形成するブラシを熟練なしに、効率よく製造する方法を提供することを目的としている。
【課題を解決するための手段】
【０００５】
以下、添付図面の符号を参照して説明するが、本発明はこれに限定されるものではない。
上記課題を解決するための、本発明のブラシの製造方法は、コイル状に成形された弾性線材からなる毛材６とこの毛材６の輪の中に通された金属製の芯線２とからなる複数の毛材・芯線組み合わせ体７を形成する工程と、この組み合わせ体７と同数の他の金属製の芯線３を用意する工程と、組み合わせ体７の芯線２と他の芯線３とを接近させて、撚りの回転方向に交互に配置することにより、芯線集合体８を形成する工程と、この芯線集合体８を軸線方向に連続的に撚る工程とを含み、それにより、毛材の多数のループ９が芯線２，３の撚りに沿って長手方向に螺旋状に配列されたブラシが形成される。
本発明の他のブラシの製造方法は、前記全ての工程の後に、毛材６のループ９を切断する追加的工程を含み、それにより、ブラシ毛が、芯線に対してほぼ直交方向に湾曲して放射状に延出するブラシを形成する。
【発明の効果】
【０００６】
本発明の方法により、ループ状のブラシ毛の列が、芯線の周りに整然と複数の螺旋を形成して並ぶブラシを熟練なしに、効率よく製造することができる。
本発明の他の方法により、湾曲して放射状に広がるブラシ毛の列が、芯線の周りに整然と複数の螺旋を形成して並ぶブラシを熟練なしに、効率よく製造することができる。
【図面の簡単な説明】
【０００７】
【図１】本発明に係るブラシを示すもので、（Ａ）は正面図、（Ｂ）は平面図である。
【図２】図１のブラシの製造過程を示すもので、（Ａ）は正面図、（Ｂ）は平面図である。
【図３】図１のブラシの製造過程を示すもので、（Ａ）は正面図、（Ｂ）は平面図である。
【図４】図１のブラシの製造過程又は他のブラシの完成体を示すもので、（Ａ）は正面図、（Ｂ）は平面図である。
【図５】本発明に係るさらに他のブラシの製造過程又はさらに他のブラシの完成体を示す平面図である。
【発明を実施するための形態】
【０００８】
図面を参照して本発明の実施の形態を説明する。
図１において、ブラシ１は、長手方向に連続的に撚られた４本の金属製の芯線２，２，３，３からなる軸４に、螺旋状に並ぶブラシ毛５の列を保持してなる。ブラシ毛５は、各芯線２，３間に、これらの芯線２，３に対してほぼ直交する方向に湾曲して延出し、芯線２，３の撚りに沿って螺旋状に並ぶ。ブラシ毛５の列は、芯線２，３の周りに二重の螺旋をなして配列される。図１（Ｂ）に示すように、ブラシ毛５は、それぞれ芯線２により中央部を押さえられ、芯線２の両側に隣接する他の２本の芯線３との間に挟まれる。したがって、ブラシ毛４の各螺旋列の間には、芯線３が介在する。
【０００９】
このブラシの製造工程を図２ないし４に示す。図２において、ブラシ毛５となる弾性線材をコイル状に形成した２つの毛材６の輪の中にそれぞれ金属製の芯線２を挿通して、２つの毛材・芯線組み合わせ体７を形成する。一方、２本の他の金属製の芯線３を用意する。毛材６は、単一線材であっても撚り線材であってもよい。
【００１０】
図３において、組み合わせ体７の芯線２と他の芯線３とを接近させ、図３（Ｂ）に示すように、撚りの回転方向に交互に配置して結束することにより芯線集合体８を形成する。
【００１１】
図４において、芯線集合体８を軸線方向に連続的に撚ることにより、毛材６の多数のループ９が芯線２，３の撚りに沿って長手方向に螺旋状に配列された撚線体１０を形成する。この撚線体１０が、本発明の１つの実施形態としてのブラシを構成する。このブラシは、ループ状の一連のブラシ毛を有する。このブラシ１０は、ブラシ毛が芯線から抜け落ちることがないので、洗浄過程における異物混入を嫌う機械装置の洗浄等に適する。
【００１２】
次いで、撚線体１０の毛材のループ９を、図４の線Ｃに沿って切除することにより、図１に示す他の実施形態のブラシ１が形成される。このブラシ１は、軸４の周りにほぼ放射状に広がる２つの螺旋状のブラシ毛５の列を有する。このブラシ毛５は、ほぼ円弧状に湾曲している。なお、必要に応じ、湾曲を矯正する熱処理等を行って、直毛とすることもできる。
【００１３】
撚線体１０を形成する工程まで、毛材６は一連であるから取り扱いが容易である。毛材６は屈折すべき方向に予め湾曲しているので、芯線２，３間の撚りによる圧力で容易に屈折する。したがって、芯線２，３の撚りが均一で、ブラシ毛５の列が整然と螺旋状に並んだブラシ１を容易に製造できる。
【００１４】
図５には、さらに他の実施形態のブラシの製造過程を示す。図５において、３つの毛材・芯線組み合わせ体７と、３本の芯線３とを用意する。コイル状の毛材６に通した芯線２と他の芯線３とを接近させて、撚りの回転方向に交互に配置し、芯線２，３を撚り合わせる。これで、３本の芯線２に沿って３重の螺旋状に並ぶループ状のブラシ毛列を有するブラシが形成される。また、線Ｃに沿ってループを切断すれは、ブラシ毛が放射状に広がる別のブラシを形成することができる。組み合わせ体７と芯線３の数を増やせば、軸４をより強靱にし、かつブラシ毛５の密度を高めることができる。いずれの場合も、組み合わせ体７と芯線３は同数とし、芯線２と芯線３とを撚りの回転方向に交互に配置することで、ブラシ毛４の各螺旋列の間に芯線３を介在させることができる。
【００１５】
図２における各一対の芯線２，３は、それぞれ１本の金属線材を折り返したものとすることができる。芯線３を芯線２より大径のものとすることができる。毛材６のコイルのループの形状は、円形に限らず、用途に応じて種々の形状、大きさに変更が可能である。毛材６として、太さや材質、コイルピッチの異なるものを混用することができる。また、径が大小異なるコイルを２重に重ねることができる。
【符号の説明】
【００１６】
１    ブラシ
２    芯線
３    芯線
４    軸
５    ブラシ毛
６    毛材
７    組み合わせ体
８    芯線集合体
９    ループ
１０  撚線体
【要約】
【課題】ブラシ毛が芯線の周りに複数の螺旋を形成しながら放射状に広がるブラシを熟練なくして、効率よく製造する方法を提供する。
【解決手段】コイル状の弾性線材からなる毛材６とこの毛材の輪の中に通された金属製の芯線２とからなる複数の毛材・芯線組み合わせ体７を形成する。組み合わせ体７と同数の他の金属製の芯線３を用意する。組み合わせ体７の芯線２と他の芯線３とを接近させ、撚りの回転方向に交互に配置することにより、芯線集合体８を形成する。芯線集合体８を軸線方向に連続的に撚ることにより、毛材の多数のループ９が芯線２，３の撚りに沿って長手方向に螺旋状に配列された撚線体１０を形成する。撚線体１０の毛材のループ９を切断し、複数の螺旋状のブラシ毛５の列を形成する。
【選択図】図３【図１】
0005400984.tif 000002
【図２】
0005400984.tif 000003
【図３】
0005400984.tif 000004
【図４】
0005400984.tif 000005
【図５】
0005400984.tif 000006